(57)【要約】【課題】  高精細な映像を忠実に表示することができると共に、歪みのある外光反射像を映し出すことのない透過型スクリーンを提供する。【解決手段】  観察者側に配置されるレンチキュラーレンズシート１０と、光源側に配置されるフレネルレンズシート３０とを有する透過型スクリーン１において、レンチキュラーレンズシート１０を主に形成する支持部材１２の曲げ弾性率と厚さをそれぞれε１（ＭＰａ）、ｔ１（ｍｍ）とし、フレネルレンズシート３０を主に形成する支持基材３２の曲げ弾性率と厚さをそれぞれε２（ＭＰａ）、ｔ２（ｍｍ）としたとき、ｔ１≧１の条件下で下記式１の関係を満たすように構成する。５５００（ＭＰａ・ｍｍ）≦ε１×ｔ１＋ε２×ｔ２    …１【選択図】    図１
2006267948.tif 000002
【特許請求の範囲】
【請求項１】
観察者側に配置されるレンチキュラーレンズシートと、光源側に配置されるフレネルレンズシートとを有する透過型スクリーンにおいて、
前記レンチキュラーレンズシートを主に形成する部材の曲げ弾性率と厚さをそれぞれε１（ＭＰａ）、ｔ１（ｍｍ）とし、前記フレネルレンズシートを主に形成する部材の曲げ弾性率と厚さをそれぞれε２（ＭＰａ）、ｔ２（ｍｍ）としたとき、ｔ１≧１の条件下で式１の関係を満たすことを特徴とする透過型スクリーン。
【数１】
2006267948.tif 000007
【請求項２】
前記レンチキュラーレンズシートを主に形成する部材が、観察者側表面を主に形成する部材であることを特徴とする請求項１に記載の透過型スクリーン。
【請求項３】
前記レンチキュラーレンズシートを主に形成する部材が、接着層を介して貼り合わされた支持部材であり、
前記フレネルレンズシートを主に形成する部材が、フレネルレンズが形成された支持基材であることを特徴とする請求項１又は２に記載の透過型スクリーン。
【請求項４】
前記レンチキュラーレンズシートの観察者側の最表面には、反射防止層、低反射層、ハードコート層、帯電防止層、防眩層、汚染防止層、偏光フィルタ層、及び電磁波シールド層から選ばれる１又は２以上の機能層が形成されていることを特徴とする請求項１から３のいずれかに記載の透過型スクリーン。
【発明の詳細な説明】
【技術分野】
【０００１】
本発明は、ＬＣＤやＤＬＰ等の単管光源を用いたプロジェクションテレビジョンの透過型スクリーンに関する。
【背景技術】
【０００２】
背面投射型表示装置であるプロジェクションテレビジョンには、光源から発せられた映像光を投影する透過型スクリーンが備えられている。この透過型スクリーンは、一般に、光源から投射される映像光を観察者側へ略平行光（平行光を含む）に偏向させるためのフレネルレンズシートと、その略平行光を拡散させて画像の視野角を広くするためのレンチキュラーレンズシートとを有している。光源については、従来、３管方式のＣＲＴ光源が一般的であったが、近年のデジタル化、高精細化及びコンパクト化の要求につれ、ＬＣＤ(Liquid Crystal Display)やＤＬＰ(Digital Light Processing)を用いた単管方式の光源（以下、本願では「単光源」という。）が使用されてきている（例えば特許文献１を参照）。この単光源を用いたプロジェクションテレビジョンでは、その特徴である画素表示により、透過型スクリーン上に投影される画像がより一層鮮明になるという利点がある。
【特許文献１】特開２００２−１６９２２４号公報
【発明の開示】
【発明が解決しようとする課題】
【０００３】
単光源に対応したプロジェクションテレビジョンでは、高精細な映像を忠実に表示するために、更には、歪みのある外光反射像を映し出さないために、使用される透過型スクリーンに撓みや湾曲が生じないことが要求される。こうした要求に対しては、レンチキュラーレンズシートやフレネルレンズシートの厚さを増すことにより対応していた。
【０００４】
本発明は、上記要求に応えるべくなされたものであって、その目的は、高精細な映像を忠実に表示することができると共に、歪みのある外光反射像を映し出すことのない透過型スクリーンを提供することにある。
【課題を解決するための手段】
【０００５】
本発明者は、上記課題を解決するための研究を行っている過程で、従来のようにレンチキュラーレンズシートやフレネルレンズシートの厚さを単に増すのではなく、透過型スクリーンに歪みを生じさせないための指標を見出すことができ、本発明を完成するに至った。
【０００６】
すなわち、上記課題を解決するための本発明の透過型スクリーンは、観察者側に配置されるレンチキュラーレンズシートと、光源側に配置されるフレネルレンズシートとを有する透過型スクリーンにおいて、前記レンチキュラーレンズシートを主に形成する部材の曲げ弾性率と厚さをそれぞれε１（ＭＰａ）、ｔ１（ｍｍ）とし、前記フレネルレンズシートを主に形成する部材の曲げ弾性率と厚さをそれぞれε２（ＭＰａ）、ｔ２（ｍｍ）としたとき、ｔ１≧１の条件下で式１の関係を満たすことを特徴とする透過型スクリーン。
【０００７】
【数２】
2006267948.tif 000003
【０００８】
本発明の透過型スクリーンにおいて、前記レンチキュラーレンズシートを主に形成する部材が、観察者側表面を主に形成する部材であることを特徴とする。
【０００９】
本発明の透過型スクリーンにおいて、前記レンチキュラーレンズシートを主に形成する部材が、接着層を介して貼り合わされた支持部材であり、前記フレネルレンズシートを主に形成する部材が、フレネルレンズが形成された支持基材であることを特徴とする。
【００１０】
本発明の透過型スクリーンにおいて、前記レンチキュラーレンズシートの観察者側の最表面には、反射防止層、低反射層、ハードコート層、帯電防止層、防眩層、汚染防止層、偏光フィルタ層、及び電磁波シールド層から選ばれる１又は２以上の機能層が形成されていることを特徴とする。
【発明の効果】
【００１１】
本発明の透過型スクリーンによれば、レンチキュラーレンズシートとフレネルレンズシートそれぞれを主に形成する各部材の曲げ弾性率と厚さを上記式１を満たすように設定したので、撓みや湾曲が生じない透過型スクリーンとすることができる。その結果、こうした透過型スクリーンを用いてプロジェクションテレビジョンを構成すれば、精細な映像を忠実に表示することができると共に、歪みのある外光反射像を映し出すのを極力抑制することができる。
【００１２】
特に、動画や静止画がより一層鮮明になる画素表示タイプの単光源を光源としたプロジェクションテレビジョンにこの透過型スクリーンを用いれば、単に厚さを増して従来の問題を解決していた従来の透過型スクリーンを用いた場合とは異なり、必要最低限のスクリーン厚さを考えれば良いので、結果的に厚さを薄くできる。その結果、材料費等のスクリーンコストを大幅に削減することができる。
【発明を実施するための最良の形態】
【００１３】
以下、本発明の透過型スクリーンについて図面を参照しつつ詳細に説明する。なお、本発明の技術的範囲は以下の実施形態及び図面に限定解釈されるものではない。
【００１４】
（透過型スクリーン）
本発明の透過型スクリーンは、観察者側に配置されるレンチキュラーレンズシートと、光源側に配置されるフレネルレンズシートとを有している。
【００１５】
本発明の透過型スクリーンの実施形態の例としては、例えば図１〜図３に例示する態様を挙げることができる。図１の模式斜視図に示す透過型スクリーン１は、シリンドリカル型のレンチキュラーレンズを片面に有するレンチキュラーレンズシート１０と、フレネル中心をシート面内に有する屈折タイプのサーキュラー型フレネルレンズシート３０とを備えるものであり、図２の模式斜視図に示す透過型スクリーン２は、片面に略Ｖ字形状の多数の溝を有し且つその溝内に光吸収性粒子を含有した樹脂からなる光吸収部を有するレンチキュラーレンズシート２０と、フレネル中心をシート面内に有する屈折タイプのサーキュラー型フレネルレンズシート３０とを備えるものであり、図３の模式斜視図に示す透過型スクリーン３は、片面に略Ｖ字形状の多数の溝を有し且つその溝内に光吸収性粒子を含有した樹脂からなる光吸収部を有するレンチキュラーレンズシート２０と、フレネル中心をシート面内に有さない全反射タイプのサーキュラー型フレネルレンズシート４０とを備えるものである。なお、本発明の透過型スクリーンがこれらの例に限定されないことは言うまでもない。
【００１６】
本発明の透過型スクリーンは、レンチキュラーレンズシートを主に形成する部材の曲げ弾性率と厚さをそれぞれε１（ＭＰａ）、ｔ１（ｍｍ）とし、フレネルレンズシートを主に形成する部材の曲げ弾性率と厚さをそれぞれε２（ＭＰａ）、ｔ２（ｍｍ）としたとき、ｔ１≧１の条件下で式１の関係を満たしている点に特徴がある。
【００１７】
【数３】
2006267948.tif 000004
【００１８】
式１の関係を満たすように構成された透過型スクリーンは、撓みや湾曲が生じないので、この透過型スクリーンを用いてプロジェクションテレビジョンを構成すれば、精細な映像を忠実に表示することができると共に、歪みのある外光反射像を映し出すのを極力抑制することができる。一方、上記式１の関係を満たさない部材により構成された透過型スクリーン、すなわち「ε１×ｔ１＋ε２×ｔ２」が５５００（ＭＰａ・ｍｍ）未満となる透過型スクリーンは、撓みや湾曲が生じ易く、この透過型スクリーンを用いてプロジェクションテレビジョンを構成すれば、映像に歪みが生じると共に、歪みのある外光反射像が映し出される。
【００１９】
本発明においては、上記式１の関係を満たすように構成された透過型スクリーンは、レンチキュラーレンズシートとフレネルレンズシートそれぞれを構成する部材が式１の関係を満たす限りおいて、種々の部材を適用することができる。なお、式１は透過型スクリーンの歪み防止が、各部材の厚さのみの変更により行われるのではなく、構成部材の曲げ弾性率と厚さとの関係で設定されることを示している。
【００２０】
以下、本発明の透過型スクリーンを構成するレンチキュラーレンズシートとフレネルレンズシートについて説明する。
【００２１】
（レンチキュラーレンズシート）
図４は、本発明の透過型スクリーンを構成するレンチキュラーレンズシートの一例を示す模式断面図である。このレンチキュラーレンズシート１０は、レンチキュラーレンズ部材１１と、支持部材１２と、両者を貼り合わせる接着層１３とを有している。
【００２２】
レンチキュラーレンズ部材１１は、図４に示すように、光源側の面に縦方向に延びるシリンドリカル型のレンチキュラーレンズ１４を備え、その反対面に同じく縦方向に延びるブラックストライプ層１７からなる光吸収部と、ブラックストライプ層１７間に位置する光透過部とからなるＢＳパターンを備えている。そして、そのレンチキュラーレンズ１４の側から、基材フィルム１５、感光性粘着層１６及びブラックストライプ層１７とを有している。
【００２３】
レンチキュラーレンズ１４は、レンチキュラーレンズ部材面に垂直に入射する平行光が光透過部表面又はその近傍に集光するように、そのレンズ形状が設計されている。このレンチキュラーレンズ１４は、近年の単光源に対応したファインピッチで形成されており、その形成材料としては、放射線硬化型樹脂、具体的にはウレタン系、ポリエステル系、エポキシ系等のアクリレート系樹脂材料が用いられる。
【００２４】
レンチキュラーレンズ１４の形成は、前記の放射線硬化型樹脂をレンチキュラーレンズ１４の賦形型に塗布し、その上に載せた基材フィルム１５上から放射線（例えば紫外線や電子線等）を照射し、その放射線硬化型樹脂を硬化させる方法により行うことができる。その後、賦形型からシートを剥離して、レンチキュラーレンズ１４が形成されたレンチキュラーレンズ部材中間体を作製する。作製されたレンチキュラーレンズ部材中間体の平坦面側であるレンチキュラーレンズ非形成面に、ラジカル重合性の感光性粘着層１６をラミネートし、レンチキュラーレンズ形成面側から平行光の紫外線を照射してその感光性粘着層１６を露光し、そのレンチキュラーレンズ自身の機能を利用した所謂セルフアライメント法により、感光性粘着層１６のうちの集光部分を硬化させる。このとき、露光されて硬化した部分は粘着性が失われ、露光されない非集光部分は粘着性が維持される。次いで、感光性粘着層１６の上からカーボン転写紙をラミネートし、その後、カーボン転写紙の転写剥離層を剥がして、上記非集光部分にブラックストライプ層１７を転写してＢＳパターンを形成する。こうしてフィルム状のレンチキュラーレンズ部材１１を作製することができる。
【００２５】
この実施形態においては、支持部材１２は、レンチキュラーレンズシート１０を主に形成する部材であり、上記の式１の曲げ弾性率ε１（ＭＰａ）と厚さｔ１（ｍｍ）を持っている。なお、「レンチキュラーレンズシートを主に形成する」とは、レンチキュラーレンズシートのうちで曲げ弾性率が最も高い部材（この実施形態では支持基材１２を指している）という意味で用いている。なお、この支持部材１２は、図４に示すように、レンチキュラーレンズシート１０の観察者側表面１９を主に形成する部材である。ここで、「観察者側表面を主に形成する」とは、観察者側表面に後述する機能層が形成されている場合も包含する意味で用いている。なお、この支持部材１２は、支持板又は前面板と呼ばれることがある。
【００２６】
支持部材１２の曲げ弾性率ε１と厚さｔ１は、フレネルレンズシート３０，４０を主に形成する部材（図１〜図３中の支持基材３２，４２を参照）の曲げ弾性率ε２と厚さｔ２との関係で決まり、また、支持部材１２の曲げ弾性率ε１は、その支持部材１２の構成材料で決まる。なお、支持部材１２の厚さｔ１は、１ｍｍ以上ものが用いられ、この条件下において、上記の式１が満たされる。通常は厚さ１〜３ｍｍの範囲内の樹脂シートが好ましく用いられる。なお、支持部材１２は、樹脂材料をプレス成形、押出成形、射出成形、キャスティング成形等することにより所定の厚さに作製される。
【００２７】
支持部材１２に用いられる樹脂シートとしては、ポリスチレン樹脂シート、アクリル樹脂シート、メタクリル−スチレン共重合体樹脂シート、ポリカーボネート樹脂シートを挙げることができ、特に、メタクリル−スチレン共重合体樹脂シート等からなる透明樹脂シートを好ましく挙げることができる。各シートの曲げ弾性率ε１の値は、ポリスチレン樹脂シートが２３００〜３５００ＭＰａ、アクリル樹脂シートが１８００〜３４００ＭＰａ、メタクリル−スチレン共重合体樹脂シートが２３００〜３５００ＭＰａ、ポリカーボネート樹脂シートが２２００〜２５００ＭＰａ、程度である。なお、曲げ弾性率は、ＪＩＳ  Ｋ  ７２０３に従って測定された値である。
【００２８】
支持部材１２は、光拡散剤を含有していることが好ましい。光拡散剤としては、一般的に光学シートに用いられる光拡散性微粒子等の光拡散剤であればよく、スチレン樹脂微粒子、シリコーン樹脂微粒子、アクリル樹脂微粒子、ＭＳ樹脂（メタクリル−スチレン共重合樹脂）微粒子等の有機系微粒子、硫酸バリウム微粒子、ガラス微粒子、水酸化アルミニウム微粒子、炭酸カルシウム微粒子、シリカ（二酸化珪素）微粒子、酸化チタン微粒子、ガラスビーズ等の無機系微粒子等が挙げられ、これらの１種又は２種以上を樹脂中に含有させることができる。なお、こうした光拡散剤は、上記のレンチキュラーレンズ部材１１に含有されていてもよいし、下記の接着層１３に含有されていてもよい。
【００２９】
支持部材１２の観察者側の表面である出光面には、各種の機能層を形成することができる。通常、観察者側の最表面には、例えば、反射防止層、低反射層、ハードコート層、帯電防止層、防眩層、汚染防止層、偏光フィルタ層、及び電磁波シールド層等から選ばれる１又は２以上の機能層が、その目的に応じて設けられる。なお、支持部材１２の観察者側の最表面は、機能層の有無にかかわらず、通常、平坦面となっている。
【００３０】
接着層１３は、レンチキュラーレンズ部材１１と支持部材１２とを貼り合わせるために設けられ、通常、放射線硬化型の接着剤やポリマー粘着剤で形成される。放射線硬化型の接着剤としては、ウレタンアクリレート樹脂、エポキシアクリレート樹脂等の接着剤が好ましく用いられ、ポリマー粘着剤としては、アクリル系ポリマー粘着剤等が好ましく用いられる。接着層１３の厚さは特に限定されないが、通常１０〜1００μｍ程度である。
【００３１】
接着剤により接着層１３を形成する場合には、例えば、レンチキュラーレンズ部材１１と支持部材１２のうちの一方の部材の片面に、上記接着剤を塗布した後、塗布した接着剤の上にもう一方の部材を載せ、その後、下方又は上方から放射線（紫外線や電子線等）を照射することによって形成される。一方、粘着剤により接着層１３を形成する場合には、例えば、アクリル系ポリマー粘着剤からなる粘着シートを、レンチキュラーレンズ部材１１と支持部材１２のうちの一方の部材の片面に貼り合わせることにより形成される。なお、上記いずれの場合においても、貼り合わせの際にニップロールで加圧してもよい。
【００３２】
図５は、本発明の透過型スクリーンを構成するレンチキュラーレンズシートの他の一例を示す模式断面図である。このレンチキュラーレンズシート２０は、レンチキュラーレンズ部材２１と、支持部材２２と、両者を貼り合わせる接着層２３とを有している。このレンチキュラーレンズシート２０において、支持部材２２と接着層２３は、図４のレンチキュラーレンズシート１０で説明したものと同じものとすることができるので、以下においては、ライトガイド機能をもつレンチキュラーレンズ部材２１について説明する。
【００３３】
レンチキュラーレンズ部材２１は、図５に示すように、基材フィルム２４と、ライトガイド機能をもつ光拡散部２５とを有する。光拡散部２５は、光吸収部２６を有し、その光吸収部２６は、出光面となる観察者側の面に縦方向に延びると共に、横方向に一定のピッチで形成されている。この光吸収部２６は、略Ｖ字形状の多数の溝に、光吸収性粒子を含有した低屈折率樹脂が充填されてなるものであり、低屈折率部を構成している。
【００３４】
このレンチキュラーレンズ部材２１において、溝以外の部分２９は高屈折率部を構成するものであり、溝を形成する斜面は低屈折率部と高屈折率部との界面となる。その斜面は第１斜面２７と第２斜面２８とで構成され、それらの斜面２７，２８は、フレネルレンズシートで偏向された略平行光を全反射させる全反射面である。こうした全反射面を有するレンチキュラーレンズ部材２１は、ライトガイドとして機能する。また、光吸収性樹脂を含有する低屈折率部は、透過型スクリーン内の迷光を吸収すると共に外光を吸収してコントラストを向上させるように作用する。
【００３５】
このレンチキュラーレンズ部材２１も、上記のレンチキュラーレンズ部材１１と同様、近年の単光源に対応したファインピッチで形成されており、その形成材料としても、放射線硬化型樹脂、具体的にはウレタン系、ポリエステル系、エポキシ系等のアクリレート系樹脂材料が用いられる。レンチキュラーレンズ部材２１の形成は、先ず、溝の反転形状が形成された型ロール上に上記の放射線硬化型樹脂を塗布すると共にその上から基材フィルム２４を貼り合わせ、基材フィルム２４側から放射線（例えば紫外線や電子線等）を照射し、その放射線硬化型樹脂を硬化させる。その後、型ロールからシートを剥離し、形成されたＶ字形状の多数の溝に光吸収性微粒子を含有した低屈折率樹脂を充填することにより、レンチキュラーレンズ部材２１が作製される。この基材フィルム２４としては、通常、厚さが０．０５ｍｍ以上０．２５ｍｍ以下のＰＥＴフィルムが好ましく用いられる。
【００３６】
こうしたレンチキュラーレンズ部材２１は、支持部材２２と接着層２３を介して貼り合わされる。具体的には、レンチキュラーレンズ部材２１の溝形成面上又は支持部材２２上に、接着層２３形成用の放射線硬化型樹脂の所定量を塗布し、その上にもう一つの部材を載せ、必要に応じてニップロールで加圧した後に、シート部材側又は他の部材側から紫外線を照射して紫外線硬化型樹脂を硬化させることにより、図５に示すレンチキュラーレンズシート２０が作製される。
【００３７】
なお、上述した図４及び図５に示す各レンチキュラーレンズシートにおいて、レンチキュラーレンズシートを主に形成する部材は、図４の実施形態においては支持部材１２であり、図５の実施形態においては支持部材２２であるとして説明しているが、そうした支持部材１２，２２が２枚構成であったり３枚構成であったりする場合には、レンチキュラーレンズ部材１１，２１を構成する基材フィルム１５，２４を含めた複数のシート状若しくはフィルム状部材のうちで、曲げ弾性率の最も高い部材が「レンチキュラーレンズシートを主に形成する部材」となる。
【００３８】
（フレネルレンズシート）
図６は、本発明の透過型スクリーンを構成するフレネルレンズシートの一例を示す模式断面図である。このフレネルレンズシート３０は、フレネル中心をシート面に有する屈折タイプのサーキュラー型フレネルレンズ３１と、そのフレネルレンズ３１の基材となる支持基材３２とからなるものである。
【００３９】
フレネルレンズシート３０は、光源からの光を略平行光に偏向するためのレンズシートであり、近年の単光源に対応したファインピッチで形成されている。その形成材料としては、上記のレンチキュラーレンズ部材で説明したのと同様の放射線硬化型樹脂、具体的にはウレタン系、ポリエステル系、エポキシ系等のアクリレート系樹脂材料が用いられる。そうしたフレネルレンズシート３０の形成は、上記放射線硬化型樹脂をフレネルレンズ３１の賦形型に塗布し、さらにその上に載せた支持基材３２上から放射線（例えば紫外線や電子線等）を照射して放射線硬化型樹脂を硬化させることにより行うことができる。その後、賦形型からシートを剥離してフレネルレンズシート３０を作製する。
【００４０】
支持基材３２は、フレネルレンズシートを主に形成する部材であり、上記の式１の曲げ弾性率ε２（ＭＰａ）と厚さｔ２（ｍｍ）を持つ部材を指している。なお、「フレネルレンズシートを主に形成する」とは、フレネルレンズシートのうちで剛性が最も高い部材（すなわち支持基材３２）という意味で用いている。
【００４１】
支持基材３２の曲げ弾性率ε２と厚さｔ２は、レンチキュラーレンズシート１０，２０を主に形成する部材（図１〜図３中の支持部材１２，２２を参照）の曲げ弾性率ε１と厚さｔ１との関係で決まり、また、支持基材３２の曲げ弾性率ε２は、その支持基材３２の構成材料で決まる。なお、支持基材３２の厚さｔ２は、０．２ｍｍ以上ものが用いられ、通常は厚さ０．５〜２ｍｍの範囲内の樹脂シートが好ましく用いられる。なお、支持基材３２は、樹脂材料をプレス成形、押出成形、射出成形、キャスティング成形等することにより所定の厚さに作製される。
【００４２】
支持基材３２に用いられる樹脂シートとしては、上記の支持部材１２と同様、ポリスチレン樹脂シート、アクリル樹脂シート、メタクリル−スチレン共重合体樹脂シート、ポリカーボネート樹脂シートを挙げることができ、特に、メタクリル−スチレン共重合体樹脂シート等からなる透明樹脂シートを好ましく挙げることができる。各シートの曲げ弾性率の値は、上記と同じである。
【００４３】
なお、本発明の透過型スクリーンを構成するフレネルレンズシートは、図３に示すように、フレネル中心をシート面に有さない全反射タイプのサーキュラー型フレネルレンズ４１を支持基材４２上に備えたフレネルレンズシート４０であってもよい。
【００４４】
（背面投射型表示装置）
図７は、本発明の透過型スクリーンが装着された背面投写型表示装置の例を示す構成図である。図７（Ａ）は、フレネル中心がシート面内にあるサーキュラーフレネルレンズを有する透過型スクリーン１，２が装着された背面投写型表示装置７０ａの例であり、図７（Ｂ）は、フレネル中心がシート面外にある全反射型のサーキュラーフレネルレンズを有する透過型スクリーン３が装着された背面投写型表示装置７０ｂの例である。
【００４５】
背面投射型表示装置７０ａ，７０ｂは、本発明の透過型スクリーン１，２，３を前面側の窓部に備えたものであり、比較的薄型の筐体７１ａ，７１ｂの底部に光源７２ａ，７２ｂが配置され、筐体７１ａ，７１ｂの後部壁内面には光源７２ａ，７２ｂからの光を透過型スクリーン１，２，３に向かって反射させるミラー７３ａ，７３ｂが配置されている。このときの光源７２ａ，７２ｂは、ＬＣＤ(Liquid Crystal Display)やＤＬＰ(Digital Light Processing)を用いた単管方式の単光源である。
【実施例】
【００４６】
次に、具体的な実施例と比較例を挙げて、本発明をさらに詳しく説明する。
【００４７】
（実施例１）
図１に示す形態の透過型スクリーンを構成した。透過型スクリーン１を構成するレンチキュラーレンズシートとして、シリンドリカルレンズを有するレンチキュラーレンズ部材１１と支持部材１２とが接着層１３を介して貼り合わされてなるレンチキュラーレンズシート１０を作製した。
【００４８】
先ず、レンズピッチが０．１ｍｍでレンズ厚さが３５μｍとなるように加工されたレンチキュラーレンズの賦形型の上に、紫外線硬化型樹脂であるウレタンアクリレート樹脂を塗布し、その上に厚さ０．７５ｍｍのＰＥＴフィルム（東洋紡績株式会社、Ａ−４１００）を載せ、その上からゴムニップロールで紫外線硬化型樹脂を引き延ばした後、上方から紫外線を照射して紫外線硬化型樹脂を硬化させた。その後、賦形型からシートを剥離して、レンチキュラーレンズが形成されたレンチキュラーレンズ部材中間体を作製した。
【００４９】
その後、作製されたレンチキュラーレンズ部材中間体の平坦面側であるレンチキュラーレンズ非形成面に、ラジカル重合性の感光性粘着層を形成し、レンチキュラーレンズ形成面側から平行光の紫外線を照射してその感光性粘着層を露光し、そのレンチキュラーレンズ自身の機能を利用した所謂セルフアライメント法により、感光性粘着層のうちの集光部分を硬化させた。このとき、露光により硬化した部分は粘着性が失われ、露光されない非集光部分は粘着性が維持された。次いで、感光性粘着層の上からカーボン転写紙をラミネートし、その後、カーボン転写紙の転写剥離層を剥がして、上記非集光部分にブラックストライプ層を転写してＢＳパターンを形成した。こうしてフィルム状のレンチキュラーレンズ部材１１を作製した。
【００５０】
次に、アクリル樹脂（住友化学株式会社製の耐衝撃アクリル樹脂、商品名：ＨＴ５５Ｘ）中に、ＭＳ樹脂系ビーズからなる光拡散剤（平均粒径：１２μｍ、積水化成品工業株式会社製、商品名：ＭＳ１０Ｘ−１２Ｄ、支持部材用母材料との屈折率差：０．０４）を２．０重量％含有させた支持部材用樹脂を用い、厚さｔ１が１．０ｍｍで曲げ弾性率ε１が２４００ＭＰａの支持部材１２を押出により作製した。その支持部材１２の上に、接着層形成用のウレタンアクリレート樹脂を、硬化後の接着層の厚さが５０μｍになるように所定量を塗布し、その上に、予め作製した上記レンチキュラーレンズ部材１１を載せて加圧しながら貼り合わせ、その後、上方から紫外線を照射して紫外線硬化型樹脂を硬化させて、最終的に５０インチサイズ（１１３０ｍｍ×６５０ｍｍ）のレンチキュラーレンズシート１０を作製した。
【００５１】
一方、フレネルレンズシート３０は、フレネルレンズを形成するための賦形型上に、上記同様のウレタンアクリレート硬化型樹脂を塗布し、その上に支持基材３２を載せ、ゴムニップロールで平滑になるように加圧した後、紫外線を照射して硬化させ、その後に型から剥離して作製した。なお、支持基材３２は、レンチキュラーレンズシートの支持部材用樹脂と同じ樹脂を使用し、上記と同じ光拡散剤を０．５重量％含有させた支持部材用樹脂を用いて押出成形したものであり、厚さｔ２が１．３ｍｍで曲げ弾性率ε２が２４００ＭＰａのものを用いた。
【００５２】
こうして作製したレンチキュラーレンズシート１０とフレネルレンズシート３０とで、本発明に係る透過型スクリーン１を構成した。なお、支持部材と支持基材の曲げ弾性率は、ＪＩＳ Ｋ ７２０３に従って測定を行った。
【００５３】
また、この実施例１及び後述の実施例２〜６及び比較例１〜３において、透過型スクリーン１のゲインが４．０になるように、レンチキュラーレンズシート１０を構成する支持部材１２中の光拡散剤の量と、フレネルレンズシート３０を構成する支持基材３２中の光拡散剤の量とを調整した。ゲインとは、スクリーンの後方から光線を入射し、前方に出てくる光の輝度の角度分布を測定し、スクリーンにおける照度と輝度とから、ゲインＧ＝π×輝度（ｃｄ／ｍ２）／照度（ｌｘ）の関係式により求めたものである。光の輝度の角度分布は、光線出射角度毎に輝度を測定する装置である微小偏角輝度計により測定して得られる。本実施例と比較例でのゲイン４．０は、スクリーンの中心をスクリーンの正面から観察したときの値である。
【００５４】
（実施例２〜６及び比較例１〜３）
実施例１において、レンチキュラーレンズシート１０を構成する支持部材１２と、フレネルレンズシート３０を構成する支持基材３２とを表１に示すように変更した他は、上記実施例１と同様にして、実施例２〜６及び比較例１〜３の透過型スクリーンを作製した。
【００５５】
（映像歪みと外光反射像歪みの評価）
実施例１〜６及び比較例１〜３の透過型スクリーン１について、図８に示すように、レンチキュラーレンズシート１０とフレネルレンズシート３０とを、両者のレンズ面が相対するようにして合わせ、四辺をテープ８１で固定した後、５０Ｗ−ＤＬＰ光源を備えた５０インチのプロジェクションテレビジョン（三星電子社製、ＨＬＭ５０６５Ｗ）のスクリーン固定枠８０に装着した。
【００５６】
映像歪みと外光反射像歪みについては、プロジェクションテレビジョンのオン状態での映像の歪みの状態と、オフ状態での外光反射像の歪みの状態を評価した。映像歪みについては、図９に示すように、プロジェクションテレビジョン９０に装着した透過型スクリーン１００上に、黒のバックグラウンドに白のクロスハッチングを入れた画面を映し出したときのクロスハッチングの歪みを観察して評価した。一方、外光反射像歪みについては、蛍光灯を外光とし、その外光が透過型スクリーンの表面に映り込んだときの歪みを観察して評価した。評価結果を総合的に判断して、◎（ほとんど歪みなし）、○（若干歪みがあるが問題なし）、×（歪みが大きく不良）の３段階で評価した。
【００５７】
その結果を表２及び図１０に示した。図１０（Ａ）は、実施例１〜６の透過型スクリーンに係るものであり、透過型スクリーンに剛性があって歪みがなく、映像と外光反射像のいずれにおいても顕著な歪みがみられなかった。こうした透過型スクリーンは、上述の関係式１を満たすものであった。一方、図１０（Ｂ）は、比較例１〜３の透過型スクリーンに係るものであり、透過型スクリーンの剛性が不十分で歪みがあり、映像と外光反射像のいずれにおいても顕著な歪みがみられた。
【００５８】
【表１】
2006267948.tif 000005
【００５９】
【表２】
2006267948.tif 000006
【図面の簡単な説明】
【００６０】
【図１】本発明の透過型スクリーンの一例を示す模式斜視図である。
【図２】本発明の透過型スクリーンの他の一例を示す模式斜視図である。
【図３】本発明の透過型スクリーンのさらに他の一例を示す模式斜視図である。
【図４】本発明の透過型スクリーンを構成するレンチキュラーレンズシートの一例を示す模式断面図である。
【図５】本発明の透過型スクリーンを構成するレンチキュラーレンズシートの他の一例を示す模式断面図である。
【図６】本発明の透過型スクリーンを構成するフレネルレンズシートの一例を示す模式断面図である。
【図７】本発明の透過型スクリーンが装着される背面投写型表示装置の例を示す構成図である。
【図８】実施例と比較例の透過型スクリーンをスクリーン固定枠に装着した態様を示す断面構成図である。
【図９】透過型スクリーンの表面に映し出される映像歪みを評価するためのクロスハッチングの示す模式図である。
【図１０】好ましい態様の透過型スクリーンを用いたときの状態を説明する模式図（Ａ）と、好ましくない態様の透過型スクリーンを用いたときの状態を説明する模式図（Ｂ）である。
【符号の説明】
【００６１】
１，２，３，１００  透過型スクリーン
１０，２０  レンチキュラーレンズシート
１１，２１  レンチキュラーレンズ部材
１２，２２  支持部材
１３，２３  接着層
１４  レンチキュラーレンズ
１５，２４  基材フィルム
１６  感光性粘着層
１７  ブラックストライプ層
１９  観察者側表面
２５  光拡散部
２６  光吸収部
２７  第１斜面
２８  第２斜面
２９  溝以外の部分
３０，４０  フレネルレンズシート
３１，４１  フレネルレンズ
３２，４２  支持基材
７０ａ，７０ｂ，９０  背面投写型表示装置（プロジェクションテレビジョン）
７１ａ，７１ｂ  筐体
７２ａ，７２ｂ  単光源
７３ａ，７３ｂ  ミラー
７４  映像光
７５  出射光
８０  固定枠
８１  テープ
【図１】
2006267948.tif 000008
【図２】
2006267948.tif 000009
【図３】
2006267948.tif 000010
【図４】
2006267948.tif 000011
【図５】
2006267948.tif 000012
【図６】
2006267948.tif 000013
【図７】
2006267948.tif 000014
【図８】
2006267948.tif 000015
【図９】
2006267948.tif 000016
【図１０】
2006267948.tif 000017